(57)【特許請求の範囲】
【請求項１】
電気部品を収容および保持するための接続箱本体と、
前記接続箱本体に設けられた係止部と、
前記接続箱本体の上端部および下端部のうちいずれか一方に形成された開口を覆うように前記接続箱本体に取り付けられたカバーと、
前記カバーに設けられ且つ、当該カバーが前記接続箱本体に取り付けられる際に前記係止部と係合して前記カバーと前記接続箱本体との取付状態を維持する係合部と、
前記接続箱本体の外面および前記カバーの外面のうちいずれか一方に形成された差し込み式の結合部と、
前記接続箱本体の外面および前記カバーの外面のうちいずれか他方に形成された押さえ付け突起と、
被取付体に固定するためのブラケットと、
を備え、
前記ブラケットは、前記結合部が形成された前記接続箱本体および前記カバーの一方から他方側に開口する前記結合部の差し込み口から当該結合部内に差し込まれ且つ、前記押さえ付け突起によって、当該押さえ付け突起と前記結合部とに挟み込まれるように、前記結合部に向けて押さえ付けられることを特徴とする電気接続箱。
【請求項２】
前記ブラケットは、略Ｌ字状のブラケット本体を備え、
前記ブラケット本体の一端部に前記結合部に差し込むための差込部が形成され、
前記ブラケット本体の他端部に前記被取付体に固定するための取付部が形成され、
前記ブラケット本体の前記差込部と前記取付部との間には屈曲部が形成されており、
前記屈曲部が前記差込部の先端部分に向けて前記押さえ付け突起により押さえ付けられ、そして
前記差込部の先端部分が前記結合部内の当接部に当接することを特徴とする請求項１に記載した電気接続箱。
【請求項３】
前記カバーが、前記接続箱本体の下端部の開口を覆うように前記接続箱本体に取り付けられる下カバーであり、
前記結合部が、前記下カバーの外面に形成され、
前記押さえ付け突起が、前記接続箱本体の外面に形成され、そして
前記ブラケットが、前記接続箱本体側に開口する前記結合部の差し込み口から当該結合部内に差し込まれることを特徴とする請求項１または請求項２に記載した電気接続箱。
【発明の詳細な説明】
【技術分野】
【０００１】
本発明は、例えば自動車等といった車両に用いられる例えばリレー・ボックス、ヒューズ・ボックス、等といった箱体、即ち、電気接続箱（エレクトリック・ジャンクション・ブロック）に係り、より詳細には、例えば、リレー、ヒューズ、電子制御ユニット、等といった電気部品が収容された接続箱本体と、該接続箱本体に取り付けられるカバーと、車両の例えば車体パネル等といった被取付体に固定するためのブラケットと、を備えた電気接続箱に関する。
【背景技術】
【０００２】
電気接続箱の一例が図４に示される。図４に示されるように、電気接続箱４０の合成樹脂製の接続箱本体にはその外面から合成樹脂製のブラケット４１が突出するように一体成形され、このブラケット４１には挿入孔４２が貫通形成されている。他方、金属製の被取付体６０には支片６１が突出するように形成されており、この支片６１の上面には、上方へ突出するスタッドボルト状のねじ軸部６２が形成されている。
【０００３】
図５に示されるようにブラケット４１の挿入孔４２に被取付体６０のねじ軸部６２を差し込んだ後ナット６３をねじ軸部６２に螺合させて締め付けることにより、電気接続箱４０は、そのブラケット４１の下面を被取付体６０の支片６１の上面に接触させた状態で、被取付体６０に固定される。しかし、このような電気接続箱４０では、被取付体６０に取り付けられたブラケット４１が合成樹脂製であるために応力が集中した際に割れてしまう可能性が高い。
【０００４】
一方、金属製のブラケットが取り付けられた合成樹脂製の接続箱本体（ケース）を備え、ブラケットの所で被取付体に取り付けられる電気接続箱は知られている（例えば、特許文献１等参照）。この種の電気接続箱では、接続箱本体の差し込み式の結合部に設けられた片持ち状のロック片が、ブラケットを、上下方向の動きを規制するように係止する。
【０００５】
しかし、このロック片に、ブラケットが固定された被取付体から該ブラケットを介して応力が集中したり、あるいは電気接続箱の振動等により応力が集中したりすると折れてしまう可能性が高い。即ち、強度の低いロック片によるブラケットの係止だけでは、該ブラケットを結合部に保持する保持力も低い。
【０００６】
【特許文献１】特開２０００−３０８２３４号公報
【発明の開示】
【発明が解決しようとする課題】
【０００７】
本発明は、上述した事情に鑑みてなされたものであり、その目的は、応力集中に対して優れた強度を持ち、ブラケットを電気接続箱の上下方向に確実に保持できるブラケット保持構造を備えた電気接続箱を提供することにある。
【課題を解決するための手段】
【０００８】
前述した目的を達成するため、本発明に係る電気接続箱は、下記（１）〜（５）を特徴としている。
（１）  電気部品を収容および保持するための接続箱本体と、
前記接続箱本体に設けられた係止部と、
前記接続箱本体の上端部および下端部のうちいずれか一方に形成された開口を覆うように前記接続箱本体に取り付けられたカバーと、
前記カバーに設けられ且つ、当該カバーが前記接続箱本体に取り付けられる際に前記係止部と係合して前記カバーと前記接続箱本体との取付状態を維持する係合部と、
前記接続箱本体の外面および前記カバーの外面のうちいずれか一方に形成された差し込み式の結合部と、
前記接続箱本体の外面および前記カバーの外面のうちいずれか他方に形成された押さえ付け突起と、
被取付体に固定するためのブラケットと、
を備え、
前記ブラケットは、前記結合部が形成された前記接続箱本体および前記カバーの一方から他方側に開口する前記結合部の差し込み口から当該結合部内に差し込まれ且つ、前記押さえ付け突起によって、当該押さえ付け突起と前記結合部とに挟み込まれるように、前記結合部に向けて押さえ付けられること。
（２）  上記（１）の構成の電気接続箱において、
前記ブラケットは、略Ｌ字状のブラケット本体を備え、
前記ブラケット本体の一端部に前記結合部に差し込むための差込部が形成され、
前記ブラケット本体の他端部に前記被取付体に固定するための取付部が形成され、
前記ブラケット本体の前記差込部と前記取付部との間には屈曲部が形成されており、
前記屈曲部が前記差込部の先端部分に向けて前記押さえ付け突起により押さえ付けられ
、そして
前記差込部の先端部分が前記結合部内の当接部に当接すること。
（３）  上記（１）または（２）の構成の電気接続箱において、
前記カバーが、前記接続箱本体の下端部の開口を覆うように前記接続箱本体に取り付けられる下カバーであり、
前記結合部が、前記下カバーの外面に形成され、
前記押さえ付け突起が、前記接続箱本体の外面に形成され、そして
前記ブラケットが、前記接続箱本体側に開口する前記結合部の差し込み口から当該結合部内に差し込まれること。
（４）  上記（１）〜（３）のいずれかの構成の電気接続箱において、
前記係止部および前記係合部がそれぞれ複数設けられていること。
（５）  上記（１）〜（４）のいずれかの構成の電気接続箱において、
前記接続箱本体および前記カバーが合成樹脂製であり、そして前記ブラケットが金属製であること。
【０００９】
上記（１）の構成の電気接続箱では、ブラケットがその上下に接続箱本体とカバーとにより挟み込まれるので、ブラケットが電気接続箱の上下方向に確実に保持される。よって、上記（１）の構成の電気接続箱によれば、従来技術のように片持ち状のロック片によるブラケットの係止に頼る必要がない。
そして、上記（１）の構成の電気接続箱によれば、係止部と係合部との係合により接続箱本体とカバーとの取付状態が維持されるので、差し込み式の結合部と押さえ付け突起による電気接続箱の上下方向のブラケットの保持が維持される。
上記（２）の構成の電気接続箱では、使用するブラケットが例えば金属製の短冊状板体をプレス成形により略Ｌ字状に形成したものであっても、ブラケット本体の差込部と取付部との間の屈曲部が差込部の先端部分に向けて押さえ付け突起により押さえ付けられ、そして差込部の先端部分が結合部内の当接部に当接するので、ブラケットの屈曲部への応力集中に対して優れた強度を持つブラケット保持構造が形成される。
上記（３）の構成の電気接続箱によれば、ブラケットが被取付体に固定された状態では、電気部品を収容および保持して比較的重量のある接続箱本体に形成された押さえ付け突起が、ブラケットに乗ることになるため、係止部と係合部との係合している部分への応力が少なくて済む。
上記（４）の構成の電気接続箱によれば、係止部が接続箱本体に複数設けられ、そして係合部がカバーに複数設けられているので、差し込み式の結合部と押さえ付け突起による電気接続箱の上下方向のブラケットの保持が確実に維持される。
上記（５）の構成の電気接続箱では、接続箱本体およびカバーが合成樹脂製であり、そしてブラケットが金属製であるが、ブラケットがその上下に接続箱本体とカバーとにより挟み込まれる構造を採っているので、従来技術のようにブラケットを係止する強度の低い片持ち状のロック片がたとえ設けられていたとしても、該ロック片が折れることが防止される。
【発明の効果】
【００１０】
本発明によれば、応力集中に対して優れた強度を持ち、ブラケットを電気接続箱の上下方向に確実に保持できるブラケット保持構造を備えた電気接続箱を提供できる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る複数の好適な実施形態を図１〜図３を参照しながら詳細に説明する。
【００１３】
図１は、本発明に係る電気接続箱の一実施形態を分解したもの（即ち、接続箱本体への下カバーおよびブラケットの非取付状態）を斜め上から視た斜視図、図２は、組み立てられた図１の電気接続箱（即ち、下カバーおよびブラケットが接続箱本体に取り付けられた取付状態の電気接続箱）を斜め上から視た斜視図、そして図３（ａ）〜図３（ｃ）は、図１および図２で示した電気接続箱の変形例の要部のみを示す斜視図である。
【００１４】
図１および図２に示されるように、電気接続箱１００は、電気部品（リレー、ヒューズ、電子制御ユニット、等）を収容および保持するための合成樹脂製の接続箱本体３０と、接続箱本体３０の下端部３０Ａに形成された開口を覆うように接続箱本体３０に係合する合成樹脂製の下カバー１０と、被取付体６０（図４および図５を参照。）に固定するための金属製のブラケット２０と、を備え、ブラケット２０がその上下に接続箱本体３０と下カバー１０とにより挟み込まれる。
【００１５】
下カバー１０は、底板部１１と、該底板部１１の外周から上方へ立設された枠部１２と、枠部１２の外面上に間隔を置いて形成された６つの係合部１７と、を備える。各係合部１７の先端部には係止突起１８が形成されている。他方、接続箱本体３０の下端部３０Ａの外面上にも６つの係止部３１（図１および図２では３つだけ示されている。）が設けられている。
【００１６】
接続箱本体３０の６つの係止部３１は、下カバー１０の係合部１７の挿入を許容する中空の挿入路を有しており、また更に当該挿入路を部分的に画成する壁に、下カバー１０の係合部１７の挿入方向に沿って延びる片持ち状の係合アーム３２を有する。従って、下カバー１０の係合部１７と接続箱本体３０の係止部３１とがそれぞれ係合したとき、係止部３１の係合アーム３２により係合部１７の係止突起１８がそれぞれ係止され、これにより下カバー１０が抜け落ちることなく接続箱本体３０の下端部３０Ａに保持（接続）される。このように、下カバー１０の係合部１７は、下カバー１０が接続箱本体３０に取り付けられる際に、接続箱本体３０の係止部３１と係合して下カバー１０と接続箱本体３０との取付状態を維持する。
【００１７】
電気接続箱１００は、より詳細には、下カバー１０の外面に形成された差し込み式の結合部１５と、接続箱本体３０の外面に形成された押さえ付け突起３５と、を更に備える。ブラケット２０は、下カバー１０から接続箱本体３０に向けて開口する結合部１５の差し込み口１４から結合部１５内に差し込まれ且つ、押さえ付け突起３５によって、押さえ付け突起３５と結合部１５とに挟み込まれるように、結合部１５に向けて押さえ付けられる。押さえ付け突起３５は、環状に形成されており、上下に貫通する中空部を備える。
【００１８】
結合部１５は、その内部へ差し込み口１４から延びるブラケット２０のための進入路を部分的に画成する最外部分に、一対の案内壁１５Ａを有している。これらの案内壁１５Ａの下端内側には結合部１５の内底面を形成する当接部１６が設けられている。また更に結合部１５は、前記進入路を部分的に画成する最内部分に片持ち状のロック片を有する。このロック片は、その上端（先端）の引っ掛け部１３が、結合部１５内に完全に差し込まれたブラケット２０の屈曲部２７の上面を係止し、ブラケット２０が結合部１５内から容易に抜け出ないようにする。よって、下カバー１０にブラケット２０を組み付けた組品を運ぶのに好適である。
【００１９】
ブラケット２０は、略Ｌ字状のブラケット本体２１を備える。ブラケット本体２１は、金属製の短冊状板体をプレス成形により略Ｌ字状に形成したものである。ブラケット本体２１の一端部には結合部１５に差し込むための差込部２３が形成されている。ブラケット本体２１の他端部には被取付体６０に固定するための取付部２５が形成されている。また、ブラケット本体２１の差込部２３と取付部２５との間には屈曲部２７が形成されている。
【００２０】
ブラケット２０が差し込み口１４から結合部１５内に差し込まれると、上述したように引っ掛け部１３が屈曲部２７の上面を係止する。この状態で下カバー１０を接続箱本体３０の下端部３０Ａに取り付けると、押さえ付け突起３５が、引っ掛け部１３を収容しながらも、ブラケット本体２１の屈曲部２７を差込部２３の先端部分に向けて押さえ付け、これにより、差込部２３の先端部分が結合部１５内の当接部１６に当接する。
【００２１】
ブラケット２０の取付部２５には挿入孔２６が貫通形成されている。ブラケット２０の挿入孔２６に被取付体６０のねじ軸部６２を差し込んだ後ナット６３をねじ軸部６２に螺合させて締め付けることにより、電気接続箱１００は、その取付部２５の下面を被取付体６０の支片６１の上面に接触させた状態で、被取付体６０に固定される。
【００２２】
上記構成の電気接続箱１００では、ブラケット２０がその上下に接続箱本体３０と下カバー１０とにより挟み込まれるので、ブラケット２０が電気接続箱１００の上下方向に確実に保持される。よって、電気接続箱１００によれば、従来技術のように片持ち状のロック片によるブラケット２０の係止に頼る必要がない。
【００２３】
また、電気接続箱１００によれば、係止部３１と係合部１７との係合により接続箱本体３０と下カバー１０との取付状態が維持されるので、差し込み式の結合部１５と押さえ付け突起３５による電気接続箱１００の上下方向のブラケット２０の保持が維持される。
【００２４】
また、電気接続箱１００では、ブラケット２０を接続箱本体３０と下カバー１０とにより挟み込む際に、ブラケット本体２１の差込部２３と取付部２５との間の屈曲部２７が差込部２３の先端部分に向けて押さえ付け突起３５により押さえ付けられ、そして差込部２３の先端部分が結合部１５内の当接部１６に当接するので、ブラケット２０の屈曲部２７への応力集中に対して優れた強度を持つブラケット保持構造が形成される。
【００２５】
また、電気接続箱１００によれば、ブラケット２０が被取付体６０に固定された状態では、電気部品を収容および保持して比較的重量のある接続箱本体３０に形成された押さえ付け突起３５が、ブラケット２０に乗ることになるため、係止部３１と係合部１７との係合している部分への応力が少なくて済む。
【００２６】
また、電気接続箱１００によれば、係止部３１が接続箱本体３０に複数設けられ、そして係合部１７が下カバー１０に複数設けられているので、差し込み式の結合部１５と押さえ付け突起３５による電気接続箱１００の上下方向のブラケット２０の保持が確実に維持される。
【００２７】
また、電気接続箱１００では、接続箱本体３０および下カバー１０が合成樹脂製であり、そしてブラケット２０が金属製であるが、ブラケット２０がその上下に接続箱本体３０と下カバー１０とにより挟み込まれる構造を採っているので、片持ち状のロック片が折れることが防止される。具体的には、接続箱本体３０に下カバー１０が取り付けられた際にブラケット２０を押さえ付けるのは押さえ付け突起３５であるため、片持ち状のロック片への応力集中を避けることができる。
【００２８】
尚、本発明は、前述した実施形態に限定されるものではなく、適宜、変形、改良、組み合わせ、等が可能である。その他、前述した実施形態における各構成要素の材質、形状、寸法、数値、形態、数、配置箇所、等は本発明を達成できるものであれば任意であり、限定されない。
【００２９】
例えば、電気接続箱１００は、接続箱本体３０、下カバー１０、およびブラケット２０を組み合わせた形態であったが、接続箱本体３０、上カバー、およびブラケット２０を組み合わせた形態であってもよい。この場合の上カバーは、結合部１５および係合部１７を有し、接続箱本体３０の上端部に形成された開口を覆うように接続箱本体３０に取り付けられるものであって、これに応じて接続箱本体３０の押さえ付け突起３５および係止部３１も配置される。また、結合部１５を接続箱本体３０の外面に形成し、そして押さえ付け突起３５を下カバー１０の外面に形成してもよい。また、ブラケット２０は合成樹脂製のものを用いてもよい。
【００３０】
また、上述の係止部３１の構造を上述の係合部１７の構造に変更するとともに、係合部１７の構造を係止部３１の構造に変更してもよい。
【００３１】
尚、本発明の電気接続箱は、図３（ａ）〜（ｃ）に示されるように、上述した片持ち状のロック片を設けず、そして更に押さえ付け突起を環状に形成せず平板状に形成した構成を採用したものであってもよい。
【００３２】
図３（ａ）は分解された電気接続箱の変形例の要部のみを斜め上から視た斜視図、図３（ｂ）は図３（ａ）のブラケット２０を下カバー１の差し込み式の結合部４に差し込んだ状態を示す分解斜視図、そして図３（ｃ）は下カバー１を接続箱本体３に取り付け、結合部４と押さえ付け突起５でブラケット２０を挟み込んだ状態を示す斜視図である。
【図面の簡単な説明】
【００３３】
【図１】本発明に係る電気接続箱の一実施形態を分解したものを斜め上から視た斜視図である。
【図２】組み立てられた図１の電気接続箱を斜め上から視た斜視図である。
【図３】図１および図２で示した電気接続箱の変形例の要部のみを示す斜視図である。
【図４】被取付体に固定するためのブラケットを備えた電気接続箱の一例を示す斜視図である。
【図５】図４で示した電気接続箱の被取付体への固定状態を示す縦断面図である。
【符号の説明】
【００３４】
１００：電気接続箱
１０：下カバー
２０：ブラケット
３０：接続箱本体
３０Ａ：接続箱本体の下端部
【図１】
0004619980.tif 000002
【図２】
0004619980.tif 000003
【図３】
0004619980.tif 000004
【図４】
0004619980.tif 000005
【図５】
0004619980.tif 000006